(57)【要約】【課題】現像カートリッジがドラムカートリッジに装着されたときに、ユーザが現像カートリッジのハンドルを容易に把持することのできるプロセスカートリッジおよびドラムカートリッジを提供すること。【解決手段】  プロセスカートリッジ４０は、現像カートリッジ１と、ドラムフレーム４３および第１押圧部材４５Ａを有するドラムカートリッジ４１とを備える。現像カートリッジ１の現像フレーム２は、第１押圧部材４５Ａにより押圧される連結壁１０と、ハンドル２０とを有する。ドラムフレーム４３は、第２方向から見て、第１押圧部材４５Ａと重ならないように位置し、現像カートリッジ１がドラムカートリッジ４１に装着されたときに、ハンドル２０が露出することを許容する開口５１を有する支持壁５０を有する。支持壁５０は、ハンドル２０が開口５１から露出した状態で、第１方向から見て、ハンドル２０と重なる。【選択図】図７
2017207708.tif 000002
【特許請求の範囲】
【請求項１】
第１方向に延びるシャフトを有する現像ローラ、および、トナーを収容するための現像フレームを有する現像カートリッジと、
前記現像カートリッジが着脱可能であるドラムカートリッジであって、前記現像ローラと接触可能な感光ドラム、前記感光ドラムを支持するドラムフレーム、および、前記現像カートリッジを前記感光ドラムに向けて押圧するための押圧部材を有するドラムカートリッジと
を備え、
前記現像フレームは、
前記シャフトの一端を支持する第１側壁と、
前記シャフトの他端を支持する第２側壁と、
前記第１側壁と前記第２側壁とを連結する連結壁であって、前記押圧部材により押圧される連結壁と、
前記第１方向と直交する第２方向において、前記連結壁から延びるハンドルであって、前記第２方向において、前記連結壁よりも前記現像ローラから離れて位置するハンドルと、を有し、
前記ドラムフレームは、前記押圧部材を支持する支持壁を有し、
前記支持壁は、前記第２方向から見て、前記押圧部材と重ならないように位置する開口であって、前記現像カートリッジが前記ドラムカートリッジに装着されたときに、前記ハンドルが露出することを許容するための開口を有し、
前記支持壁は、前記ハンドルが前記開口から露出した状態で、前記第１方向から見て、前記ハンドルと重なることを特徴とする、プロセスカートリッジ。
【請求項２】
前記第１方向および前記第２方向の両方と直交する第３方向における前記開口の長さは、１５ｍｍ以上、５０ｍｍ以下であることを特徴とする、請求項１に記載のプロセスカートリッジ。
【請求項３】
前記押圧部材は、
第１押圧部材と、
前記第１方向において、前記第１押圧部材と間隔を隔てて位置する第２押圧部材とを備え、
前記開口は、前記第１押圧部材と前記第２押圧部材との間に位置することを特徴とする請求項１または２に記載のプロセスカートリッジ。
【請求項４】
前記ドラムフレームは、前記連結壁と接続される底壁であって、前記現像カートリッジが前記ドラムカートリッジに装着されたときに、前記現像カートリッジを支持する底壁を有し、
前記底壁は、前記第１方向に延びるリブであって、前記第１方向において、前記第１押圧部材と前記第２押圧部材との間に位置するリブを有することを特徴とする、請求項３に記載のプロセスカートリッジ。
【請求項５】
前記支持壁は、
前記第１押圧部材を支持する第１支持部と、
前記第２押圧部材を支持し、前記第１方向において、前記開口に対して、前記第１支持部と反対側に位置する第２支持部と、を有し、
前記第１方向において、前記開口の寸法は、前記第１支持部および前記第２支持部のそれぞれの寸法よりも長いことを特徴とする、請求項３または４に記載のプロセスカートリッジ。
【請求項６】
前記ハンドルは、
前記連結壁から、前記第２方向において、前記現像ローラの反対側に向かって延びる第１延出部と、
前記連結壁から、前記第２方向において、前記現像ローラの反対側に向かって延びる第２延出部であって、前記第１方向において、前記第１延出部と間隔を隔てて位置する第２延出部と、
前記第１方向に延び、前記第１延出部と、前記第２延出部とを連結する連結部分であって、前記第２方向において、前記連結壁と間隔を隔てて位置する連結部分と、
を備えることを特徴とする、請求項１〜５のいずれか一項に記載のプロセスカートリッジ。
【請求項７】
前記連結壁は、
前記押圧部材に押圧される受部と、
前記第２方向から見て、前記受部と重ならないように位置し、前記第２方向において、前記受部よりも前記現像ローラから離れて位置する突出部と、を有し、
前記ハンドルは、前記第２方向において、前記突出部から延びることを特徴とする、請求項１〜６のいずれか一項に記載のプロセスカートリッジ。
【請求項８】
前記突出部の内面は、前記第２方向において、前記受部よりも前記現像ローラから離れていることを特徴とする、請求項７に記載のプロセスカートリッジ。
【請求項９】
前記受部は、
支持面と、
前記支持面から前記第２方向に延び、前記第２方向において、前記支持面よりも前記現像ローラから離れて位置する突起であって、前記現像カートリッジが前記ドラムカートリッジに装着されたときに、前記押圧部材に押圧される突起を有し、
前記突出部の内面は、前記第２方向において、前記突起よりも前記現像ローラから離れていることを特徴とする、請求項７または８に記載のプロセスカートリッジ。
【請求項１０】
前記第１方向において、前記突出部の寸法は、前記受部の寸法より長いことを特徴とする、請求項７〜９のいずれか一項に記載のプロセスカートリッジ。
【請求項１１】
前記第２方向は、前記現像ローラの回転軸線および前記感光ドラムの回転軸線を繋ぐ方向であることを特徴とする、請求項１〜１０のいずれか一項に記載のプロセスカートリッジ。
【請求項１２】
現像カートリッジを装着可能なドラムフレームと、
第１方向に延びる回転軸線について回転可能であり、前記第１方向と直交する第２方向において、前記ドラムフレームの一端部に設けられる感光ドラムと、
前記第２方向において、前記ドラムフレームの他端部に設けられ、前記現像カートリッジを前記感光ドラムに押圧するための第１押圧部材と、
前記第２方向において、前記ドラムフレームの他端部に設けられ、前記現像カートリッジを前記感光ドラムに押圧するための第２押圧部材であって、前記第１方向において、前記第１押圧部材と間隔を隔てて位置する第２押圧部材と、を備え、
前記ドラムフレームは、前記第１押圧部材および前記第２押圧部材を支持する支持壁であって、前記第１方向において、前記第１押圧部材と前記第２押圧部材との間に位置する開口であって、前記現像カートリッジが前記ドラムフレームに装着されたときに、前記現像カートリッジのハンドルが露出するのを許容するための開口を有し、
前記支持壁は、前記現像カートリッジの前記ハンドルが前記開口から露出した状態で、前記第１方向から見て前記現像カートリッジの前記ハンドルと重なることを特徴とする、ドラムカートリッジ。
【発明の詳細な説明】
【技術分野】
【０００１】
本発明は、プロセスカートリッジおよびドラムカートリッジに関する。
【背景技術】
【０００２】
従来より、ドラムカートリッジと、ドラムカートリッジに着脱可能に装着される現像カートリッジと、を備えるプロセスカートリッジが知られている。
【０００３】
このような現像カートリッジは、内部にトナーを収容し、ユーザに把持されるためのハンドルを有している（例えば、特許文献１参照）。
【先行技術文献】
【特許文献】
【０００４】
【特許文献１】特開２０１３−５４０６０号公報
【発明の概要】
【発明が解決しようとする課題】
【０００５】
特許文献１に記載のプロセスカートリッジにおいて、現像カートリッジがドラムカートリッジに装着されたときに、ユーザが現像カートリッジのハンドルを容易に把持できることが望まれる。
【０００６】
そこで、本発明の目的は、現像カートリッジがドラムカートリッジに装着されたときに、ユーザが現像カートリッジのハンドルを容易に把持することのできるプロセスカートリッジおよびドラムカートリッジを提供することにある。
【課題を解決するための手段】
【０００７】
本発明のプロセスカートリッジは、第１方向に延びるシャフトを有する現像ローラ、および、トナーを収容するための現像フレームを有する現像カートリッジと、現像カートリッジが着脱可能であるドラムカートリッジであって、現像ローラと接触可能な感光ドラム、感光ドラムを支持するドラムフレーム、および、現像カートリッジを感光ドラムに向けて押圧するための押圧部材を有するドラムカートリッジとを備え、現像フレームは、シャフトの一端を支持する第１側壁と、シャフトの他端を支持する第２側壁と、第１側壁と第２側壁とを連結する連結壁であって、押圧部材により押圧される連結壁と、第１方向と直交する第２方向において、連結壁から延びるハンドルであって、第２方向において、連結壁よりも現像ローラから離れて位置するハンドルと、を有し、ドラムフレームは、押圧部材を支持する支持壁を有し、支持壁は、第２方向から見て、押圧部材と重ならないように位置する開口であって、現像カートリッジがドラムカートリッジに装着されたときに、ハンドルが露出することを許容するための開口を有し、支持壁は、ハンドルが開口から露出した状態で、第１方向から見て、ハンドルと重なる。
【０００８】
このような構成によれば、現像カートリッジは、現像カートリッジがドラムカートリッジに装着されたときに、支持壁に支持される押圧部材に押圧されることにより、感光ドラムに向けて押圧される。そして、現像カートリッジのハンドルは、支持壁の開口から露出している。
【０００９】
そのため、押圧部材が、現像カートリッジを確実に押圧することができながら、現像カートリッジのハンドルが、開口から露出する。
【００１０】
その結果、現像カートリッジがドラムカートリッジに装着されたときに、ユーザが現像カートリッジのハンドルを、容易に把持することができる。
【発明の効果】
【００１１】
本発明のプロセスカートリッジおよびドラムカートリッジによれば、現像カートリッジがドラムカートリッジに装着されたときに、ユーザが現像カートリッジのハンドルを容易に把持することができる。
【図面の簡単な説明】
【００１２】
【図１】図１は、本発明の一実施形態の現像カートリッジの斜視図である。
【図２】図２は、図１に示す現像カートリッジの反対側から見た斜視図である。
【図３】図３Ａは、図１に示す現像カートリッジの断面図であって、第１突出部を通る断面図である。図３Ｂは、図１に示す現像カートリッジの断面図であって、第２壁および把持部を通る断面図である。
【図４】図４は、図１に示す現像カートリッジを現像ローラの反対側から見た側面図である。
【図５】図５は、図１に示す現像カートリッジの現像ローラを説明するための側面図である。
【図６】図６は、図１に示す現像カートリッジの現像フレーム内を説明するための側面図である。
【図７】図７は、本発明の一実施形態のプロセスカートリッジの側面図である。
【図８】図８Ａは、図７のＡ−Ａ断面図である。図８Ｂは、図７のＢ−Ｂ断面図である。
【図９】図９は、図７に示すプロセスカートリッジのドラムカートリッジの斜視図である。
【図１０】図１０は、図９に示すドラムカートリッジの切替部材および穴を説明するための側面図である。
【図１１】図１１Ａは、図１０に示すドラムカートリッジの切替部材の側面図である。図１１Ｂは、図１１ＡのＣ−Ｃ断面図である。
【図１２】図１２Ａは、本発明の変形例の現像カートリッジの斜視図であって、把持部が第２連結部分を備えず、把持部が短い形態を示す。図１２Ｂは、本発明の変形例の現像カートリッジの斜視図であって、現像フレームが把持部の間に第４壁を備える形態を示す。
【図１３】図１３Ａは、本発明の変形例の現像カートリッジの斜視図であって、第２壁を部分的に備えない形態を示す。図１３Ｂは、本発明の変形例の現像カートリッジの斜視図であって、図１３Ａの現像カートリッジに対して、把持部が短い形態を示す。
【発明を実施するための形態】
【００１３】
１．現像カートリッジ１の概略
図１を参照して、現像カートリッジ１の概略について説明する。
【００１４】
図１に示すように、現像カートリッジ１は、現像フレーム２と、現像ローラ４と、アジテータ６（図３Ａ参照）と、現像カップリング７と、を備える。
【００１５】
１．１  現像フレーム２
現像フレーム２は、第１方向に延びる。現像フレーム２は、中空の略角筒形状を有する。現像フレーム２は、トナーを収容可能である。なお、以下の説明において、現像フレーム２の内側および外側に言及するときは、トナーが収容される側が、現像フレーム２の内側である。また、トナーが収容される内側と反対側が、現像フレーム２の外側である。また、現像フレーム２の内側に備えられた面が、現像フレーム２の内面であり、現像フレーム２の外側に備えられた面が、現像フレーム２の外面である。
【００１６】
１．２  現像ローラ４
現像ローラ４は、第１方向に延びる。現像ローラ４は、図３Ａおよび図３Ｂに示すように、回転軸線Ａ１を中心として、回転可能である。現像ローラ４は、現像カートリッジ１において、第１方向と直交する第２方向における一端部に位置する。なお、第２方向とは、現像ローラ４の回転軸線Ａ１と、後述する感光ドラム４４の回転軸線Ａ２とを繋ぐ方向である。図３Ａおよび図５に示すように、現像ローラ４の周面の一部は、現像フレーム２の外側に露出している。現像ローラ４は、現像ローラ本体部４Ａと、シャフト４Ｂとを備える。
【００１７】
シャフト４Ｂは、図３Ａおよび図３Ｂに示すように、第１方向に延びる。第１方向において、シャフト４Ｂの両端部は、現像フレーム２に回転可能に支持される。なお、シャフト４Ｂの両端部は、軸受を介して、現像フレーム２に支持されてもよい。
【００１８】
現像ローラ本体部４Ａは、第１方向に延びる。現像ローラ本体部４Ａは、円柱形状を有する。現像ローラ本体部４Ａは、シャフト４Ｂとともに回転可能である。現像ローラ本体部４Ａは、図５に示すように、処理範囲Ｔと、未処理範囲Ｕと、を有する。
【００１９】
処理範囲Ｔは、トナーを担持するとともに、後述する感光ドラム４４に対して、トナーを供給しない領域である。処理範囲Ｔは、現像ローラ本体部４Ａにおいて、第１方向における一端部および他端部のそれぞれに位置する。現像ローラ本体部４Ａの第１方向における一端部に位置する処理範囲Ｔを、処理範囲Ｔ１とし、第１方向における他端部に位置する処理範囲Ｔを、処理範囲Ｔ２とする。
【００２０】
未処理範囲Ｕは、処理範囲Ｔと比べて、表面粗さが大きい。未処理範囲Ｕは、感光ドラム４４に対して、トナーを供給可能な領域である。未処理範囲Ｕは、第１方向において、処理範囲Ｔ１と処理範囲Ｔ２との間に位置する。第１方向において、未処理範囲Ｕの寸法は、処理範囲Ｔ１の寸法よりも長い。また、第１方向において、未処理範囲Ｕの寸法は、処理範囲Ｔ２の寸法よりも長い。
【００２１】
また、現像ローラ４は、シャフト４Ｂの第１方向における一端部および他端部が現像フレーム２に支持されているために、現像ローラ本体部４Ａの第１方向における一端部は、第２方向に変形しにくい。現像ローラ本体部４Ａの第１方向における中央部は、両端部と比較して、第２方向に変形しやすい。現像ローラ本体部４Ａにおいて、変形しにくい範囲を、ストレート範囲Ｓとし、ストレート範囲Ｓと比べて変形し易い範囲を、湾曲範囲Ｃとする。
【００２２】
ストレート範囲Ｓは、第１方向において、シャフト４Ｂの一端部および他端部のそれぞれに位置する。第１方向において、現像ローラ４の一端部に位置するストレート範囲Ｓを、ストレート範囲Ｓ１とし、他端部に位置するストレート範囲Ｓを、ストレート範囲Ｓ２とする。第１方向において、ストレート範囲Ｓ１の寸法は、処理範囲Ｔ１の寸法よりも短い。第１方向において、ストレート範囲Ｓ２の寸法は、処理範囲Ｔ２の寸法よりも短い。
【００２３】
湾曲範囲Ｃは、第１方向において、ストレート範囲Ｓ１とストレート範囲Ｓ２との間に位置する。第１方向において、湾曲範囲Ｃの寸法は、ストレート範囲Ｓ１の寸法よりも長い。また、第１方向において、湾曲範囲Ｃの寸法は、ストレート範囲Ｓ２の寸法よりも長い。また、第１方向において、湾曲範囲Ｃの寸法は、未処理範囲Ｕの寸法よりも長い。
【００２４】
１．３  アジテータ６
アジテータ６は、図３Ａおよび図６に示すように、第１方向に延びる。アジテータ６は、現像フレーム２の内側に設けられる。アジテータ６は、羽根６Ａと、アジテータシャフト６Ｂと、を備える。アジテータシャフト６Ｂは、第１方向に延びる。第１方向において、アジテータシャフト６Ｂの両端部は、現像フレーム２に回転可能に支持される。羽根６Ａは、アジテータシャフト６Ｂの径方向において、アジテータシャフト６Ｂから外側に向かって延びる。アジテータ６は、現像フレーム２内を羽根６Ａが回ることにより、現像フレーム２内のトナーを撹拌可能である。アジテータ６は、現像フレーム２内のトナーを現像ローラ４に搬送可能である。
【００２５】
１．４  現像カップリング７
現像カップリング７は、図１および図２に示すように、第１方向において、現像カートリッジ１の一端部に位置する。現像カップリング７は、外部からの駆動力を受け取り、現像ローラ４およびアジテータ６に、駆動力を伝達する。
【００２６】
２．  現像フレーム２の詳細
現像フレーム２は、第１側壁８と、第２側壁９と、連結壁１０と、を備える。
【００２７】
２．１  第１側壁８および第２側壁９
第１側壁８と第２側壁９とは、図５および図６に示すように、第１方向に互いに間隔を隔てて位置する。第１側壁８および第２側壁９は、第２方向に延びる。第１側壁８および第２側壁９は板形状を有する。第１側壁８は、現像ローラ４のシャフト４Ｂの一端部を支持する。第２側壁９は、現像ローラ４のシャフト４Ｂの他端部を支持する。
【００２８】
２．２  連結壁１０
連結壁１０は、図３Ａおよび図３Ｂに示すように、第２方向において、アジテータ６に対して、現像ローラ４の反対側に位置する。連結壁１０は、第２方向において、現像ローラ４と間隔を隔てて位置する。連結壁１０は、図１および図２に示すように、第１側壁８と第２側壁９との間に位置する。連結壁１０は、第１側壁８と、第２側壁９とを連結する。連結壁１０は、受部１１Ａと、受部１１Ｂと、突出部１２と、延長部１３Ａ、延長部１３Ｂと、突起１６Ａと、突起１６Ｂと、複数のリブ１７Ａと、リブ１７Ｂとを備える。
【００２９】
２．２．１  受部１１Ａ、受部１１Ｂ、および、突出部１２
受部１１Ａと受部１１Ｂとは、第１方向において、互いに間隔を隔てて位置する。突出部１２は、第１方向において、受部１１Ａと受部１１Ｂとの間に位置する。
【００３０】
受部１１Ａは、第１方向において、突出部１２よりも現像カップリング７の近くに位置する。受部１１Ａは、第１方向において、連結壁１０の一端部に位置する。受部１１Ｂは、第１方向において、突出部１２に対して、受部１１Ａの反対側に位置する。受部１１Ｂは、第１方向において、連結壁１０の他端部に位置する。受部１１Ａおよび受部１１Ｂは、第１方向に延びる。受部１１Ａおよび受部１１Ｂは、板形状を有する。
【００３１】
突出部１２は、第２方向から見て、受部１１Ａおよび受部１１Ｂと重ならないように位置する。突出部１２は、第１方向において、連結壁１０の中央に位置する。突出部１２は、第１方向に延びる。突出部１２は、図３Ａおよび図３Ｂに示すように、受部１１Ａおよび受部１１Ｂに対して、傾斜する。具体的には、突出部１２は、第１方向および第２方向の両方と直交する第３方向において、受部１１Ａおよび受部１１Ｂよりも遠い一端部に位置する第１端部１２Ａと、一端部と反対側の他端部に位置する第２端部１２Ｂとを有する。第１端部１２Ａは、第３方向において、現像カートリッジ１がドラムカートリッジ４１に装着されているときに、受部１１Ａおよび受部１１Ｂに対して、後述する底壁４９（図８Ａおよび図８Ｂ参照）の反対側に位置する。第２端部１２Ｂは、第２方向において、受部１１Ａおよび受部１１Ｂに対して、アジテータ６の反対側に位置する。なお、突出部１２の厚みは、第１端部１２Ａから第２端部１２Ｂにわたって、同じである。突出部１２は、第２方向において、受部１１Ａおよび受部１１Ｂよりも、現像ローラ４から離れて位置する。突出部１２は、板形状を有する。
【００３２】
突出部１２の内面は、第２方向において、受部１１Ａおよび受部１１Ｂの内面よりも、現像ローラ４から離れて位置する。
【００３３】
また、図４に示すように、第１方向において、突出部１２の寸法Ｌ１は、受部１１Ａの寸法Ｌ２よりも長い。また、第１方向において、突出部１２の寸法Ｌ１は、受部１１Ｂの寸法Ｌ３よりも長い。具体的には、第１方向において、突出部１２の寸法Ｌ１は、受部１１Ａの寸法Ｌ２に対して、例えば、１．５倍以上、好ましくは、２倍以上であり、例えば、３倍未満、好ましくは、２．５倍未満である。また、第１方向において、突出部１２の寸法Ｌ１は、受部１１Ｂの寸法Ｌ３に対して、例えば、１．５倍以上、好ましくは、２倍以上であり、例えば、３倍未満、好ましくは、２．５倍未満である。
【００３４】
２．２．２  延長部１３Ａおよび延長部１３Ｂ
延長部１３Ａと延長部１３Ｂとは、第１方向において、互いに間隔を隔てて位置する。
【００３５】
延長部１３Ａは、第１方向において、突出部１２と第１側壁８との間に位置する。延長部１３Ａは、第１方向において、連結壁１０の一端部に位置する。延長部１３Ａは、第２方向から見て、受部１１Ａと第３方向に並ぶ。好ましくは、延長部１３Ａは、受部１１Ａの上方に位置する。
【００３６】
延長部１３Ｂは、第１方向において、突出部１２と第２側壁９との間に位置する。延長部１３Ｂは、第１方向において、連結壁１０の他端部に位置する。延長部１３Ｂは、第２方向から見て、受部１１Ｂと第３方向に並ぶ。好ましくは、延長部１３Ｂは、受部１１Ｂの上方に位置する。
【００３７】
このように、延長部１３Ａおよび延長部１３Ｂは、第２方向から見て、受部１１Ａ、受部１１Ｂおよび突出部１２と重ならないように位置する。
【００３８】
延長部１３Ａおよび延長部１３Ｂは、第１方向に延びる。延長部１３Ａおよび延長部１３Ｂは、図３Ａおよび図３Ｂに示すように、第３方向において、突出部１２と並ぶ。延長部１３Ａおよび延長部１３Ｂは、第２方向において、受部１１Ａおよび受部１１Ｂよりも、現像ローラ４から離れて位置する。
【００３９】
延長部１３Ａおよび延長部１３Ｂは、板形状を有する。延長部１３Ａおよび延長部１３Ｂの内面は、突出部１２の内面と面一である。つまり、延長部１３Ａおよび延長部１３Ｂの内面は、第２方向において、受部１１Ａおよび受部１１Ｂの内面よりも、現像ローラ４から離れて位置する。延長部１３Ａおよび延長部１３Ｂの外面は、突出部１２の外面と面一である。延長部１３Ａおよび延長部１３Ｂは、突出部１２と平行である。
【００４０】
２．２．３  突起１６Ａおよび突起１６Ｂ
突起１６Ａは、図２および図５に示すように、第２方向において、受部１１Ａの支持面１５Ａから現像ローラ４の反対側に向かって突出する。言い換えると、受部１１Ａは、支持面１５Ａと、突起１６Ａと、を有する。突起１６Ａは、第１方向において、後述する複数のリブ１７Ａに対して、突出部１２の反対側に位置する。突起１６Ａは、第２方向から見て、現像ローラ４の処理範囲Ｔ１およびストレート範囲Ｓ１と重なる。
【００４１】
突起１６Ｂは、第２方向において、受部１１Ｂの支持面１５Ｂから現像ローラ４の反対側に向かって突出する。言い換えると、受部１１Ｂは、支持面１５Ｂと、突起１６Ｂと、を有する。突起１６Ｂは、第１方向において、後述するリブ１７Ｂに対して、突出部１２の反対側に位置する。突起１６Ｂは、第２方向から見て、現像ローラ４の処理範囲Ｔ２およびストレート範囲Ｓ２と重なる。
【００４２】
突起１６Ａおよび突起１６Ｂは、図２および図３Ａに示すように、第１方向に延びる。突起１６Ａおよび突起１６Ｂの外面は、第１方向から見て、湾曲している。
【００４３】
突起１６Ａおよび突起１６Ｂは、図３Ａおよび図３Ｂに示すように、第２方向において、突出部１２の第２端部１２Ｂの内面よりも現像ローラ４の近くに位置する。言い換えると、突出部１２の第２端部１２Ｂの内面は、第２方向において、突起１６Ａおよび突起１６Ｂよりも現像ローラ４から離れて位置する。
【００４４】
突起１６Ａは、図７および図８Ａに示すように、第２方向において、後述するドラムカートリッジ４１の第１押圧部材４５Ａからの押圧力を受ける。突起１６Ｂは、第２方向において、後述するドラムカートリッジ４１の第２押圧部材４５Ｂからの押圧力を受ける。
【００４５】
そして、突起１６Ａが、第２方向において、後述する第１押圧部材４５Ａからの押圧力を受け、突起１６Ｂが、第２方向において、後述する第２押圧部材４５Ｂからの押圧力を受けることにより、現像カートリッジ１は、後述する感光ドラム４４に押圧される。
【００４６】
２．２．４  複数のリブ１７Ａおよびリブ１７Ｂ
リブ１７Ａは、図１および図５に示すように、第２方向において、受部１１Ａから現像ローラ４の反対側に向かって突出する。リブ１７Ａは、第２方向において、突起１６Ａよりも、現像ローラ４から離れるように、突出している。リブ１７Ａは、第３方向に延びる。リブ１７Ａは、板形状を有する。複数のリブ１７Ａは、第１方向において、互いに間隔を隔てて位置する。複数のリブ１７Ａは、第１方向において、突出部１２と、突起１６Ａとの間に位置する。第３方向において、リブ１７Ａの一端部は、延長部１３Ａに連続する。
【００４７】
リブ１７Ｂは、第２方向において、受部１１Ｂから現像ローラ４の反対側に向かって突出する。リブ１７Ｂは、第２方向において、突起１６Ｂよりも現像ローラ４から離れるように、突出している。リブ１７Ｂは、第３方向に延びる。リブ１７Ｂは、板形状を有する。リブ１７Ｂは、板形状を有する。リブ１７Ｂは、第１方向において、突出部１２と、突起１６Ｂとの間に位置する。第３方向において、リブ１７Ｂの一端部は、延長部１３Ｂに連続する。
【００４８】
リブ１７Ａおよびリブ１７Ｂは、図３Ａおよび図３Ｂに示すように、第２方向において、突出部１２の第２端部１２Ｂの内面よりも、現像ローラ４側に位置する。言い換えると、突出部１２の第２端部１２Ｂの内面は、第２方向において、リブ１７Ａおよびリブ１７Ｂよりも現像ローラ４から離れて位置する。
【００４９】
２．３  ハンドル２０
現像フレーム２は、図１および図２に示すように、ユーザが把持するためのハンドル２０を、さらに備える。
【００５０】
ハンドル２０は、第２方向において、突出部１２よりも現像ローラ４から離れて位置する。ハンドル２０は、第１方向において、一端部と、一端部に対して間隔を隔てる他端部とを有する。ハンドル２０は、第１延出部２１と、第２延出部２２と、連結部分の一例としての第１連結部分２３と、第２連結部分２４とを備える。
【００５１】
第１延出部２１は、図２および図３Ａに示すように、第１方向において、ハンドル２０の一端部に位置する。第１延出部２１は、第２方向において、突出部１２から、現像ローラ４の反対側に向かって延びる。第１延出部２１は、板形状を有する。
【００５２】
第２延出部２２は、図２および図３Ｂに示すように、第１方向において、ハンドル２０の他端部に位置する。第２延出部２２は、第２方向において、突出部１２から、現像ローラ４の反対側に向かって延びる。第２延出部２２は、板形状を有する。
【００５３】
第１連結部分２３は、第２方向において、突出部１２と間隔を隔てて位置する。第１連結部分２３は、突出部１２と略平行に延びる。第１連結部分２３は、第１延出部２１と第２延出部２２との間に位置する。第１連結部分２３は、第１延出部２１と第２延出部２２とに連続する。
【００５４】
第２連結部分２４は、第３方向において、ハンドル２０の一端部に位置する。第２連結部分２４は、突出部１２と、第１延出部２１と、第２延出部２２と、第１連結部分２３との間に位置する。第２連結部分２４は、突出部１２と、第１延出部２１と、第２延出部２２と、第１連結部分２３とに連続する。
【００５５】
２．４  現像フレーム２のその他の構成
第２側壁９は、図３Ａおよび図３Ｂに示すように、トナー充填口３２を有する。
【００５６】
トナー充填口３２は、第２側壁９を第１方向に貫通する。トナー充填口３２は、現像フレーム２内にトナーを充填するために設けられる。トナー充填口３２は、略円形状を有する。トナー充填口３２の周縁の一部は、第１方向から見て、現像フレーム２の内面と一致している。トナー充填口３２は、現像フレーム２にトナーを充填するとき以外は、キャップ３８により、閉鎖される。
【００５７】
３．ドラムカートリッジ４１
上記した現像カートリッジ１は、図７および図８Ａに示すように、ドラムカートリッジ４１に装着される。現像カートリッジ１は、ドラムカートリッジ４１とともに、プロセスカートリッジ４０を構成する。
【００５８】
ドラムカートリッジ４１は、ドラムフレーム４３と、感光ドラム４４と、第１押圧部材４５Ａと、第２押圧部材４５Ｂとを備える。ドラムカートリッジ４１は、感光ドラム４４の軸線方向と直交する直交方向において、一端部と他端部とを有する。現像カートリッジ１は、第１方向が、軸線方向と一致するように、ドラムカートリッジ４１に装着される。このとき、現像カートリッジ１の第２方向は、ドラムカートリッジ４１の直交方向と一致する。
【００５９】
３．１  感光ドラム４４
感光ドラム４４は、図８Ａおよび図８Ｂに示すように、第２方向において、ドラムカートリッジ４１の一端部に位置する。感光ドラム４４は、回転軸線Ａ２を中心として、回転可能である。感光ドラム４４は、円筒形状を有する。
【００６０】
３．２  ドラムフレーム４３
ドラムフレーム４３は、感光ドラム４４と、第１押圧部材４５Ａおよび第２押圧部材４５Ｂとの間に、現像カートリッジ１を収容可能である。
【００６１】
ドラムフレーム４３は、図７および図９に示すように、底壁４９と、支持壁５０と、を備える。
【００６２】
３．３  底壁４９
底壁４９は、第１方向に延びる。底壁４９は、図８Ａおよび図８Ｂに示すように、現像カートリッジ１がドラムカートリッジ４１に装着されたときに、現像カートリッジ１を支持する。
【００６３】
底壁４９は、開口５７と、複数のリブ５８と、を有する。
【００６４】
開口５７は、図８Ａおよび図９に示すように、底壁４９を第３方向に貫通する。開口５７は、第１方向に延びる。開口５７は、現像カートリッジ１がドラムカートリッジ４１に装着されているときに、現像カートリッジ１の一端部を露出する。
【００６５】
複数のリブ５８は、第１方向において、開口５７と、支持壁５０の開口５１との間に位置する。複数のリブ５８は、第２方向に互いに間隔を隔てて位置する。リブ５８は、第１方向に延びる。複数のリブ５８は、現像カートリッジ１がドラムカートリッジ４１に装着されているときに、現像カートリッジ１の他端部と向かい合う。
【００６６】
３．４  支持壁５０
支持壁５０は、第２方向において、ドラムフレーム４３の他端部に位置する。支持壁５０は、底壁４９と接続される。言い換えると、底壁４９は、支持壁５０と接続される。支持壁５０は、第１方向に延びる。支持壁５０は、板形状を有する。支持壁５０は、第１支持部５２Ａと、第２支持部５２Ｂとを有する。
【００６７】
第１支持部５２Ａおよび第２支持部５２Ｂは、それぞれ、第１方向において、支持壁５０の一端部と他端部とに位置する。第１支持部５２Ａと第２支持部５２Ｂとは、互いに第１方向に間隔を隔てている。第１支持部５２Ａは、後述する第１押圧部材４５Ａを支持する。第２支持部５２Ｂは、後述する第２押圧部材４５Ｂを支持する。
【００６８】
３．４．１  開口５１
支持壁５０は、開口５１をさらに有する。開口５１は、第１方向において、第１支持部５２Ａと第２支持部５２Ｂとの間に位置する。つまり、開口５１は、第２方向から見て、第１支持部５２Ａおよび第２支持部５２Ｂと重ならない。開口５１は、図８Ｂおよび図９に示すように、第３方向において、支持壁５０の一端縁から、他方に向かって凹む。開口５１は、第２方向から見て、台形状である。開口５１は、支持壁５０を第２方向に貫通する。開口５１は、現像カートリッジ１がドラムカートリッジ４１に装着されたときに、ハンドル２０を受け入れる。また、現像カートリッジ１がドラムカートリッジ４１に装着されたときに、突出部１２は、第２方向から見て、開口５１内に位置する。現像カートリッジ１がドラムカートリッジ４１に装着されたときに、開口５１は、第２方向から見て、ハンドル２０と重なる。
【００６９】
図７に示すように、第１方向において、開口５１の寸法Ｌ４は、ハンドル２０の寸法よりも長い。好ましくは、第１方向において、開口５１の寸法Ｌ４は、突出部１２の寸法Ｌ１よりも長い。また、第１方向において、開口５１の寸法Ｌ４は、第１支持部５２Ａおよび第２支持部５２Ｂのそれぞれの寸法よりも長い。また、第３方向において、開口５１の寸法は、例えば、１５ｍｍ以上、好ましくは、２５ｍｍ以上であり、例えば、５０ｍｍ以下、好ましくは、４０ｍｍ以下である。
【００７０】
３．４．２  複数の溝５３Ａおよび溝５３Ｂ
支持壁５０は、図７および図９に示すように、複数の溝５３Ａと、溝５３Ｂとをさらに有する。複数の溝５３Ａおよび溝５３Ｂのそれぞれは、感光ドラム４４から離れる方向に向かって窪む。複数の溝５３Ａおよび溝５３Ｂは、第３方向に延びる。
【００７１】
複数の溝５３Ａは、第１方向において、第１支持部５２Ａと開口５１との間に位置する。複数の溝５３Ａのそれぞれは、図７に示すように、現像カートリッジ１がドラムカートリッジ４１に装着されたときに、対応するリブ１７Ａを受け入れる。
【００７２】
溝５３Ｂは、第１方向において、第２支持部５２Ｂと開口５１との間に位置する。溝５３Ｂは、現像カートリッジ１がドラムカートリッジ４１に装着されたときに、リブ１７Ｂを受け入れる。
【００７３】
３．５  第１押圧部材４５Ａおよび第２押圧部材４５Ｂ
第１押圧部材４５Ａおよび第２押圧部材４５Ｂは、図７および図８Ａに示すように、第２方向において、支持壁５０よりも感光ドラム４４の近くに位置する。第１押圧部材４５Ａは、図９に示すように、第１支持部５２Ａに支持される。第２押圧部材４５Ｂは、第２支持部５２Ｂに支持される。
【００７４】
図７および図８Ａに示すように、第１押圧部材４５Ａと第１支持部５２Ａとの間、および、第２押圧部材４５Ｂと第２支持部５２Ｂとの間には、それぞれ、ばね５５が介在される。第１押圧部材４５Ａおよび第２押圧部材４５Ｂは、ばね５５によって、常には、感光ドラムに向けて、付勢される。第１押圧部材４５Ａは、現像カートリッジ１がドラムカートリッジ４１に装着されたときに、第２方向において、感光ドラム４４に近い端部が、突起１６Ａと接触する。第２押圧部材４５Ｂは、現像カートリッジ１がドラムカートリッジ４１に装着されたときに、第２方向において、感光ドラム４４に近い端部が、突起１６Ｂと接触する。第１押圧部材４５Ａおよび第２押圧部材４５Ｂは、現像カートリッジ１がドラムカートリッジ４１に装着されたときに、現像カートリッジ１を感光ドラム４４に向けて押圧する。
【００７５】
３．６  ドラムカートリッジ４１のその他の構成
ドラムカートリッジ４１は、図９および図１０に示すように、切替部材６７を備える。また、ドラムフレーム４３は、穴６４および穴６５を有する。
【００７６】
３．６．１  切替部材６７
切替部材６７は、ドラムカートリッジ４１に対する現像カートリッジ１の離脱を規制する規制位置（図１０実線参照）と、ドラムカートリッジ４１に対する現像カートリッジ１の離脱を許容する許容位置（図１０仮想線参照）との間を回動する。なお、以下の切替部材６７の説明では、切替部材６７が規制位置に位置した状態を基準とする。切替部材６７は、図１１Ａおよび図１１Ｂに示すように、軸部７７と、操作部７８と、突起８０とを備える。
【００７７】
軸部７７は、軸線方向に延びる。軸部７７は、円柱形状を有する。
【００７８】
操作部７８は、切替部材６７の一端部に位置する。操作部７８は、切替部材６７を、規制位置（図１０実線参照）から、許容位置（図１０仮想線参照）に回動させるときに、ユーザに操作される。
【００７９】
突起８０は、軸部７７と操作部７８との間に位置する。突起８０は、第１方向に延びる。突起８０は、基端部８０Ａと、遊端部８０Ｂとを備える。
【００８０】
基端部８０Ａは、突起８０の第１方向における他端部である。
【００８１】
遊端部８０Ｂは、突起８０の軸線方向における一端部である。第２方向において、遊端部８０Ｂの幅Ｗ２は、基端部８０Ａの幅Ｗ１よりも大きい。
【００８２】
３．６．２  穴６４および穴６５
ドラムフレーム４３は、図１０に示すように、第１方向において、現像カートリッジ１に向かい合う壁を有する。壁は、第１方向において、現像カップリング７に対して、現像フレーム２の反対側に位置する。壁は、穴６４と穴６５とを有する。
【００８３】
穴６４は、第２方向において、感光ドラム４４と支持壁５０との間に位置する。穴６４は、ドラムフレーム４３の壁を第１方向に貫通する。穴６４は、略円形状を有する。穴６４は、切替部材６７の軸部７７を回転可能に受け入れる。
【００８４】
穴６５は、ドラムフレーム４３において、穴６４と同じ壁に設けられる。穴６５は、第２方向において、穴６４に対して、感光ドラム４４の反対側に位置する。穴６５は、ドラムフレーム４３を第１方向に貫通する。穴６５は、切替部材６７の突起８０を受け入れる。穴６５は、穴６４を中心とする突起８０の回転軌跡に沿って延びる。穴６５は、一端７１と、他端７２と、幅広部７３とを備える。
【００８５】
一端７１は、穴６５において、切替部材６７が規制位置に位置するときに、突起８０が位置する端部である。一端７１の幅は、突起８０の基端部８０Ａの幅Ｗ１よりも大きく、遊端部８０Ｂの幅Ｗ２よりも小さい。
【００８６】
他端７２は、穴６５において、切替部材６７が許容位置に位置するときに、突起８０が位置する端部である。他端７２の幅は、一端７１の幅と同じである。
【００８７】
幅広部７３は、穴６５において、一端７１と他端７２との間に位置する。幅広部７３の幅は、一端７１および他端７２の幅、および、遊端部８０Ｂの幅Ｗ２よりも大きい。
【００８８】
４．作用効果
（１）このプロセスカートリッジ４０によれば、図７および図８Ａに示すように、現像カートリッジ１は、現像カートリッジ１がドラムカートリッジ４１に装着されたときに、支持壁５０に支持される第１押圧部材４５Ａおよび第２押圧部材４５Ｂに押圧されることにより、感光ドラム４４に向けて押圧される。そして、現像カートリッジ１のハンドル２０は、支持壁５０の開口５１から露出している。
【００８９】
そのため、第１押圧部材４５Ａおよび第２押圧部材４５Ｂが、現像カートリッジ１を確実に押圧することができながら、現像カートリッジ１のハンドル２０が、開口５１から露出する。
【００９０】
その結果、現像カートリッジ１がドラムカートリッジ４１に装着されたときに、ユーザは、現像カートリッジ１のハンドル２０を、容易に把持することができる。
【００９１】
（２）このプロセスカートリッジ４０によれば、図７および図８Ａに示すように、現像カートリッジ１は、第１押圧部材４５Ａおよび第２押圧部材４５Ｂの２つの押圧部材によって、感光ドラム４４に向けて、確実に押圧される。
【００９２】
（３）このプロセスカートリッジ４０によれば、図９に示すように、ドラムカートリッジ４１の底壁４９の複数のリブ５８は、支持壁５０の開口５１と、底壁４９の開口５７との間に位置する。
【００９３】
そのため、ユーザは、支持壁５０の開口５１、または、底壁４９の開口５７を介して、複数のリブ５８に容易にアクセスすることができる。
【００９４】
そのため、ユーザは、現像カートリッジ１が離脱されたドラムカートリッジ４１を容易に把持することができる。
【００９５】
（４）このプロセスカートリッジ４０によれば、図７に示すように、第１方向において、開口５１の寸法Ｌ４が、第１支持部５２Ａおよび第２支持部５２Ｂのそれぞれの寸法よりも長いので、開口５１からハンドル２０が確実に露出する。
【００９６】
（５）このプロセスカートリッジ４０によれば、図７および図８Ｂに示すように、現像カートリッジ１がドラムカートリッジ４１に装着されるときには、第２方向から見て、ハンドル２０の第１連結部分２３がドラムフレーム４３の開口５１内に位置する。
【００９７】
そのため、ユーザは、ドラムフレーム４３の開口５１を介して、第１延出部２１と第２延出部２２と第１連結部分２３との間から、ハンドル２０を容易に把持することができる。
【００９８】
（６）このプロセスカートリッジ４０によれば、図１および図２に示すように、第２方向において、ハンドル２０が突出部１２から延びるので、ユーザは、ハンドル２０をより容易に把持することができる。
【００９９】
（７）このプロセスカートリッジ４０によれば、図２および図３Ｂに示すように、突出部１２が、第２方向において、受部１１Ａおよび受部１１Ｂよりも現像ローラ４から離れているので、突出部１２がなく、受部１１Ａおよび受部１１Ｂだけである場合と比べて、現像フレーム２の容積が増加する。
【０１００】
そのため、現像フレーム２は、内部に、多くのトナーを収容することができる。
【０１０１】
（８）このプロセスカートリッジ４０によれば、図７および図８Ａに示すように、第１押圧部材４５Ａが突起１６Ａを押圧し、第２押圧部材４５Ｂが突起１６Ｂを押圧することにより、現像カートリッジ１を感光ドラム４４に向けて確実に押圧する。
【０１０２】
また、図３Ａおよび図３Ｂに示すように、突出部１２の内面が、第２方向において、突起１６Ａおよび突起１６Ｂよりも現像ローラ４から離れているので、現像フレーム２の容積が増加する。
【０１０３】
（９）このプロセスカートリッジ４０によれば、図４に示すように、第１方向において、突出部１２の寸法Ｌ１が、受部１１Ａの寸法Ｌ２および受部１１Ｂの寸法Ｌ３のそれぞれよりも長いので、突出部１２は、より多くのトナーを収容することができる。
【０１０４】
その結果、現像フレーム２の容積が、より一層増加する。
【０１０５】
（１０）このドラムカートリッジ４１によれば、図７および図８Ｂに示すように、現像カートリッジ１がドラムカートリッジ４１に装着されたときに、現像カートリッジ１のハンドル２０が、ドラムカートリッジ４１の支持壁５０の開口５１から露出する。
【０１０６】
そのため、ユーザは、現像カートリッジ１がドラムカートリッジ４１に装着されたときに、現像カートリッジ１のハンドル２０を容易に把持することができる。
【０１０７】
５．変形例
（１）上記した実施形態では、図１に示すように、ハンドル２０は、第２連結部分２４を備えているが、例えば、図１２Ａに示すように、ハンドル２０は、第２連結部分２４を備えていなくてもよい。この場合、第３方向において、第１延出部２１、第２延出部２２および第１連結部分２３の一端部は、上記した実施形態に対して、他方に位置してもよい。
【０１０８】
このような構成においても、上記した実施形態と同様の作用効果を得ることができる。
【０１０９】
（２）また、上記した実施形態では、図２に示すように、第１方向において、ハンドル２０の一端部と他端部との間にわたって、突出部１２が位置しているが、図１２Ｂに示すように、現像フレーム２は、ハンドル２０の一端部と他端部との間に、第２方向において、突出部１２よりも現像ローラ４の近くに位置する凹部９１を備えてもよい。凹部９１は、第２方向から見て、突出部１２と重ならないように位置する。凹部９１は、第１方向に延びる。凹部９１は、受部１１Ａおよび受部１１Ｂと平行である。
【０１１０】
このような構成によれば、ユーザは、第１延出部２１と第２延出部２２と第１連結部分２３と凹部９１との間から、ハンドル２０を容易に把持することができる。
【０１１１】
また、上記した実施形態と同様の作用効果を得ることができる。
【０１１２】
（３）また、上記した実施形態では、図２に示すように、突出部１２は、第１方向において、受部１１Ａと受部１１Ｂとの間に位置するが、図１３Ａに示すように、突出部１２は、延長部１３Ａと延長部１３Ｂとの間のみに、位置してもよい。また、現像フレーム２が、リブ１７Ａおよびリブ１７Ｂを備えていなくてもよい。
【０１１３】
さらに、図１３Ｂに示すように、第３方向において、第１延出部２１、第２延出部２２および第１連結部分２３の一端部は、上記した実施形態に対して、他方に位置してもよい。
【０１１４】
このような構成においても、上記した実施形態と同様の作用効果を得ることができる。
【０１１５】
（４）また、例えば、延長部１３Ａが、受部１１Ａの他方に位置してもよく、延長部１３Ｂが、受部１１Ｂの他方に位置してもよい。
【０１１６】
このような構成においても、上記した実施形態と同様の作用効果を得ることができる。
【符号の説明】
【０１１７】
１      現像カートリッジ
２      現像フレーム
４      現像ローラ
４Ｂ    シャフト
８      第１側壁
９      第２側壁
１０    連結壁
１１Ａ  受部
１１Ｂ  受部
１２    突出部
１５Ａ  支持面
１５Ｂ  支持面
１６Ａ  突起
１６Ｂ  突起
２０    ハンドル
２１    第１延出部
２２    第２延出部
２３    第１連結部分
４０    プロセスカートリッジ
４１    ドラムカートリッジ
４３    ドラムフレーム
４４    感光ドラム
４５Ａ  第１押圧部材
４５Ｂ  第２押圧部材
４９    底壁
５０    支持壁
５１    開口
５２Ａ  第１支持部
５２Ｂ  第２支持部
５８    リブ
【図１】
2017207708.tif 000003
【図２】
2017207708.tif 000004
【図３】
2017207708.tif 000005
【図４】
2017207708.tif 000006
【図５】
2017207708.tif 000007
【図６】
2017207708.tif 000008
【図７】
2017207708.tif 000009
【図８】
2017207708.tif 000010
【図９】
2017207708.tif 000011
【図１０】
2017207708.tif 000012
【図１１】
2017207708.tif 000013
【図１２】
2017207708.tif 000014
【図１３】
2017207708.tif 000015